(57)【特許請求の範囲】
【請求項１】
電子線形加速器で加速した電子線を三酸化モリブデン１００(Mo-100・O3)粉末試料に照射することで三酸化モリブデン９９(Mo-99・O3)及び酸化テクネチウム９９ｍ(Tc-99m2・O7)を製造し、
分離精製装置によって、前記三酸化モリブデン９９及び前記酸化テクネチウム９９ｍから酸化テクネチウム９９ｍを精製分離する放射性核種製造方法であって、
前記電子線を前記三酸化モリブデン１００(Mo-100・O3)粉末試料に照射する照射期間中に、前記三酸化モリブデン１００(Mo-100・O3)粉末試料に温度を調整した気体を供給し、
前記三酸化モリブデン１００(Mo-100・O3)は前記気体により加熱され、
前記電子線を前記三酸化モリブデン１００(Mo-100・O3)粉末試料に照射する照射期間中に、前記三酸化モリブデン１００(Mo-100・O3)粉末試料を振動させることを特徴とする放射性核種製造方法。
【請求項２】
請求項１に記載の放射性核種製造方法において、
前記電子線を前記三酸化モリブデン１００(Mo-100・O3)粉末試料に照射する照射期間中に、前記三酸化モリブデン１００(Mo-100・O3)粉末試料に供給する気体が酸素ガスと不活性ガスの混合ガスであることを特徴とする放射性核種製造方法。
【請求項３】
請求項１又は２に記載の放射性核種製造方法において、
前記電子線を前記三酸化モリブデン１００(Mo-100・O3)粉末試料に照射する照射期間中に、前記三酸化モリブデン１００(Mo-100・O3)粉末試料の温度を測定し、
前記三酸化モリブデン１００(Mo-100・O3)粉末試料の温度を、酸化テクネチウム９９ｍ(Tc-99m2・O7)の沸点以上で、前記三酸化モリブデン１００(Mo-100・O3)の融点以下の温度範囲に調節するように前記気体の温度を調節することを特徴とする放射性核種製造方法。
【請求項４】
請求項１に記載の放射性核種製造方法において、
超音波振動装置が、前記三酸化モリブデン１００(Mo-100・O3)粉末試料を振動させることを特徴とする放射性核種製造方法。
【請求項５】
請求項１乃至４のいずれか１項に記載の放射性核種製造方法において、
前記気体の流れを撹拌することによって、前記三酸化モリブデン１００(Mo-100・O3)粉末試料を振動させることを特徴とする放射性核種製造方法。
【請求項６】
請求項１乃至５のいずれか１項に記載の放射性核種製造方法において、
前記三酸化モリブデン１００(Mo-100・O3)粉末試料に前記気体を供給する第１の配管、及び前記三酸化モリブデン９９と前記酸化テクネチウム９９ｍを前記分離精製装置に供給する第２の配管を、蛇腹状配管で構成することを特徴とする放射性核種製造方法。
【請求項７】
請求項１乃至６のいずれか１項に記載の放射性核種製造方法において、
前記三酸化モリブデン１００(Mo-100・O3)粉末試料を設置する容器を、蛇腹状の容器で構成することを特徴とする放射性核種製造方法。
【請求項８】
請求項１乃至７のいずれか１項に記載の放射性核種製造方法において、
前記三酸化モリブデン１００(Mo-100・O3)粉末試料を設置する容器と前記分離精製装置を接続する配管、及び、前記三酸化モリブデン１００(Mo-100・O3)粉末試料を設置する容器と前記気体を流す配管に、前記三酸化モリブデン１００(Mo-100・O3)粉末試料の粉末の径より小さく、かつ、前記気体を通過させるメッシュ状フィルタを設置することを特徴とする放射性核種製造方法。
【請求項９】
三酸化モリブデン１００(Mo-100・O3)粉末試料を設置する容器と、
前記三酸化モリブデン１００粉末試料に電子線を照射する電子線形加速器と、
前記三酸化モリブデン１００(Mo-100・O3)粉末試料に前記電子線を照射することによって生成された三酸化モリブデン９９(Mo-99・O3)及び酸化テクネチウム９９ｍ(Tc-99m2・O7)から前記酸化テクネチウム９９ｍを精製分離する分離精製装置と、
前記電子線を前記三酸化モリブデン１００(Mo-100・O3)粉末試料に照射する照射期間中に、前記三酸化モリブデン１００(Mo-100・O3)粉末試料に供給する気体の温度を調整する温度調整装置を備え、
前記三酸化モリブデン１００(Mo-100・O3)は前記気体により加熱され、
前記電子線を前記三酸化モリブデン１００(Mo-100・O3)粉末試料に照射する照射期間中に、前記三酸化モリブデン１００(Mo-100・O3)粉末試料を振動させることを特徴とする放射性核種製造装置。
【請求項１０】
請求項９に記載の放射性核種製造装置において、
酸素ガス及び不活性ガスを混合するガス混合容器を備え、
前記電子線を前記三酸化モリブデン１００(Mo-100・O3)粉末試料に照射する照射期間中に、前記混合ガスを前記三酸化モリブデン１００(Mo-100・O3)粉末試料に供給することを特徴とする放射性核種製造装置。
【請求項１１】
請求項９又は１０に記載の放射性核種製造装置において、
前記三酸化モリブデン１００(Mo-100・O3)粉末試料の温度を測定する温度計と、
前記電子線を前記三酸化モリブデン１００(Mo-100・O3)粉末試料に照射する照射期間中に、前記温度計で測定した前記三酸化モリブデン１００(Mo-100・O3)粉末試料の温度が、酸化テクネチウム９９ｍ(Tc-99m2・O7)の沸点以上で、前記三酸化モリブデン１００(Mo-100・O3)の融点以下の温度範囲に調節する温度調整装置を備えることを特徴とする放射性核種製造装置。
【請求項１２】
請求項９に記載の放射性核種製造装置において、
前記三酸化モリブデン１００(Mo-100・O3)粉末試料を振動させる振動装置が超音波振動装置であることを特徴とする放射性核種製造装置。
【請求項１３】
請求項９乃至１２のいずれか１項に記載の放射性核種製造装置において、
前記三酸化モリブデン１００(Mo-100・O3)粉末試料に前記気体を供給する第１の配管、及び前記三酸化モリブデン９９と前記酸化テクネチウム９９ｍを前記分離精製装置に供給する第２の配管を、蛇腹状配管で構成することを特徴とする放射性核種製造装置。
【請求項１４】
請求項９乃至１３のいずれか１項に記載の放射性核種製造装置において、
前記三酸化モリブデン１００(Mo-100・O3)粉末試料を設置する容器を、蛇腹状の容器で構成することを特徴とする放射性核種製造装置。
【発明の詳細な説明】
【技術分野】
【０００１】
本発明は、加速器を利用した放射性核種の製造方法及び装置に係り、特に、核診断用薬剤の原料である放射性核種を、小型軽量な装置で効率良く製造することが可能な放射性核種の製造方法及び放射性核種製造装置に関する。
【背景技術】
【０００２】
従来、核診断用薬剤の原料として利用されているモリブデン９９（Mo-99）は、原子炉内で高濃度または低濃度のウラニウム２３５(U-235)の核分裂生成物として生成されたものを回収・精製したものである。このように原子炉を利用した製造を行っている施設は、世界中を見ても少数かつ偏在しており、施設を持たない国々は航空機による輸入に頼っており、安定供給に関して不安がある。
【０００３】
また、原子炉を利用した製造を行っている施設においても、原子炉老朽化をはじめとする施設運転に関する課題があり、やはり、安定供給の課題がある。日本においては、商業炉、試験炉等々、原子炉は多数存在するが、Mo-99の製造は行っておらず、１００％輸入に頼っている。原子炉を利用した製造設備には多大な投資及び維持費がかかることなどから、原子炉を利用した自国内での製造に関して具体的進展がない。
【０００４】
一方、核分裂反応を利用しないMo-99の製造方法に関して、広く研究が進められている。
【０００５】
まず、第一の放射性核種製造方法には、中性子によるモリブデン９８(Mo-98)の放射化法[Mo-98(n,γ)Mo-99]がある。本反応は、中性子源を提供できれば良いことから、原子炉で生成する中性子ではなく、加速器によって生成する中性子を利用することも可能である。
【０００６】
また、加速器を利用する放射性核種製造方法として、モリブデン１００(Mo-100)と中性子の反応を利用する方法(Mo-100(n,2n)Mo-99)もあり、原子炉を利用した製造設備に多大な投資及び維持費がかかる等の課題が解決可能なことが期待できる。
【０００７】
しかし、中性子を利用する方法は、大型の加速器が必要であることや、Mo-98またはMo-100ターゲットの周囲に大きな遮蔽を設置する必要があることから、装置全体が大型になってしまう課題がある。また、前述の核分裂を利用する方法と比較して、いずれも収率が低い、及び、必要とするMo-99に対してMo-98またはMo-100が多く存在することから比放射能が低く、従来原子炉を利用した設備で確立していた精製技術が適用できない等の課題もある。但し、精製技術に関しては、上記加速器を利用する方法に対する精製技術も開発されてきており、核診断用薬剤の原料として最終的に必要なTc-99mを得ることも可能となってきている。
【０００８】
特許文献１では、加速器を利用した他の放射性核種製造方法としては、モリブデン１００（Mo-100）に加速した陽子を照射する方法[Mo-100(p,pn)Mo-99またはMo-100(p,2n)Tc-99m]を開示している。しかしながら、モリブデン１００（Mo-100）に加速した陽子を照射した場合、Mo-99及びTc-99mが生成すると同時に、テクネチウム９９(Tc-99)が生成(Mo-100(p,2n)Tc-99)されてしまい、原理的に比放射能の高いTc-99mを得ることができない課題がある。
【先行技術文献】
【特許文献】
【０００９】
【特許文献１】国際公開第２０１１／１３２２６５号
【発明の概要】
【発明が解決しようとする課題】
【００１０】
本発明の目的は、核診断用薬剤の原料である放射性核種を、小型軽量な装置で効率良く製造することが可能な放射性核種の製造方法及び放射性核種製造装置を提供することである。
【課題を解決するための手段】
【００１１】
上記の目的を達成するための本発明の特徴は、電子線形加速器で加速した電子線を三酸化モリブデン１００(Mo-100・O3)粉末試料に照射することで三酸化モリブデン９９(Mo-99・O3)及び酸化テクネチウム９９ｍ(Tc-99m2・O7)製造し、分離精製装置によって、三酸化モリブデン９９及び酸化テクネチウム９９ｍから酸化テクネチウム９９ｍを精製分離する放射性核種製造方法であって、電子線を三酸化モリブデン１００(Mo-100・O3)粉末試料に照射する照射期間中に、三酸化モリブデン１００(Mo-100・O3)粉末試料に温度を調整した気体を供給する放射性核種製造方法にある。
【発明の効果】
【００１２】
本発明によれば、核診断用薬剤の原料である放射性核種を、小型軽量な装置で効率良く製造できるようになる。
【図面の簡単な説明】
【００１３】
【図１】本発明の好適な一実施例である実施例１の放射性核種製造装置の構成を示す構成図である。
【図２】MoO3とTc2O7の蒸気圧曲線を示す。
【図３】本発明の好適な一実施例である実施例２の放射性核種製造装置の構成を示す構成図である。
【図４】本発明の好適な一実施例である実施例３の放射性核種製造装置の構成を示す構成図である。
【図５】本発明の好適な一実施例である実施例４の放射性核種製造装置の放射性核種製造用試料部分の構成を示す構成図である。
【図６】本発明の好適な一実施例である実施例５の放射性核種製造装置の放射性核種製造用試料部分の構成を示す構成図である。
【図７】実施例１の放射性核種製造装置に設置されるガス供給装置の構成を示す構成図である。
【発明を実施するための形態】
【００１４】
放射性核種製造用原料（例えば、三酸化モリブデン１００(Mo-100・O3)の粉末試料）に、電子線加速器によって加速された電子線を照射することで三酸化モリブデン９９(Mo-99・O3)を製造する。製造した三酸化モリブデン９９(Mo-100・O3)に気体（例えば、酸素を含む気体）を供給することで、三酸化モリブデン９９(Mo-100・O3)中のモリブデン９９(Mo-99)が崩壊後、酸化テクネチウム９９ｍ(Tc-99m2・O7)が生成する。
【００１５】
電子線加速器は、同じ加速エネルギーであれば、陽子加速器または重粒子加速器と比較して小型化が可能であること、及び、Mo-100からMo-99を生成する(γ,n)反応の生成断面積は、Mo-100と中性子の反応を利用する方法(Mo-100(n,2n)Mo-99)や、Mo-100に加速した陽子を照射する方法(Mo-100(p,pn)Mo-99またはMo-100(p,2n)Tc-99m)等の他の反応からMo-99を生成する断面積と同程度であることから、放射性核種製造部分の小型化が可能である。生成したMo-99は、66時間の半減期で子孫核種であるテクネチウム９９ｍ（Tc-99m）となる。核医学の放射性薬剤に必要な核種はテクネチウム９９ｍ（Tc-99m）であり、モリブデン９９(Mo-99)はその原料である。テクネチウム９９ｍ（Tc-99m）は、6.02時間の半減期で子孫核種であるTc-99となる。Tc-99は放射性薬剤に必要の無い核種であること、及び、Tc-99mとの分離が困難であることから、できるだけTc-99mの比放射能が高い状態でMo-99からTc-99mを分離精製することが必要である。従って、Mo-99を製造する製造部分と、製造したMo-99からTc-99mを分離精製する精製装置が近接していること、または、電子線照射中に分離精製できることが望ましい。
【００１６】
放射性核種製造用原料として三酸化モリブデン１００（Mo-100・O3）の粉末試料を用いることで、放射性核種製造用原料の表面積を大きくすることができ、試料中に生成したTc-99m2・O7の原料からの遊離を早め、また、Mo-100・O3原料中に残るTc-99m2・O7を少なく抑えることができる。
【００１７】
放射性核種製造用原料（Mo-100・O3粉末試料）への電子線照射中に、Mo-100・O3粉末試料に温度調節（加熱または冷却）した気体を供給することで、試料中に生成したTc-99m2・O7の原料からの遊離をさらに早め、また、Mo-100・O3原料中に残るTc-99m2・O7をより少なく抑えることができる。さらに、放射性核種製造用原料（Mo-100・O3粉末試料）に振動を加えることで、試料中に生成したTc-99m2・O7の原料からの遊離をさらに早め、また、Mo-100・O3原料中に残るTc-99m2・O7をより少なく抑えることができる。
【００１８】
以下、本発明の実施例を、図面を参照して説明する。
【実施例１】
【００１９】
本発明に好適な一実施例である実施例１の放射性核種製造装置の構成を図１に基づいて説明する。
【００２０】
本実施例の放射性核種製造装置は、図１に示すように、電子線加速器１、放射性核種製造用原料３を入れる試験用容器４、放射性核種分離精製装置５、温度計１０、加熱・冷却制御装置１１、加熱・冷却装置１２、加熱・冷却部１３、ガス供給装置１４、振動装置２０及び制御システム（図示せず）を備える。放射性核種製造用原料３は、生成する放射性核種の原料となる原料核種を含む。本実施例では、放射性核種製造用原料として三酸化モリブデン１００(Mo-100・O3)の粉末試料３を例に説明する。温度計１０は、試験用容器４内に設置された三酸化モリブデン１００(Mo-100・O3)粉末試料３の温度を計測する。加熱・冷却制御装置１１は、温度計１０で計測された三酸化モリブデン１００(Mo-100・O3)粉末試料３の温度情報に基づいて、加熱・冷却装置１２の温度を調整する。加熱・冷却装置１２が加熱・冷却部１３の温度を調整することによって、ガス供給装置１４から供給される気体の温度を制御する。振動装置２０が試験用容器４を振動することによって、試験用容器４内の三酸化モリブデン１００(Mo-100・O3)粉末試料３が振動される。振動装置２０としては、耐熱性超音波振動子を使用した超音波振動装置を使用しても良い。
【００２１】
図７を用いて、ガス供給装置１４の構成を説明する。ガス供給装置１４は、ガス混合容器７０、酸素ガス(Ｏ2ガス)を保持する酸素ガスボンベ８１、酸素ガスボンベ８１から供給される酸素ガスの流量を制御するマスフローコントローラ７１Ａ、酸素ガスボンベ８１から供給される酸素ガスの圧力を制御するレギュレータ７２Ａ、不活性ガスボンベ８２、不活性ガスボンベ８２から供給される不活性ガスの流量を制御するマスフローコントローラ７１Ｂ及び不活性ガスボンベ８２から供給される不活性ガスの圧力を制御するレギュレータ７２Ｂを備える。本実施例では、ガス供給装置１４として、酸素ガスと不活性ガスの混合ガス３１を供給する例を説明するが、酸素ガスのみを供給する構成であってもよい。
【００２２】
本実施例の射性核種製造装置では、電子線加速器１で加速された電子線２を三酸化モリブデン１００(Mo-100・O3)粉末試料３に照射し、三酸化モリブデン９９(Mo-99・O3)を製造する。製造した三酸化モリブデン９９(Mo-100・O3)に酸素ガスを供給することで、三酸化モリブデン９９(Mo-100・O3)中のモリブデン９９(Mo-99)が崩壊後、酸化テクネチウム９９ｍ(Tc-99m2・O7)が生成される。三酸化モリブデン１００(Mo-100・O3)粉末試料３の温度を温度計１０で測定し、加熱・冷却制御装置１１により、加熱・冷却装置１２を制御することで、加熱・冷却部１３を通過まえの酸素ガスまたは酸素ガスと不活性ガスの混合ガス３０を加熱・冷却し、加熱または冷却した酸素ガスまたは酸素ガスと不活性ガスの混合ガス３１の温度を調節する。
【００２３】
図２にMoO3とTc2O7の蒸気圧曲線を示す。三酸化モリブデン１００(Mo-100・O3)または三酸化モリブデン９９(Mo-99・O3)融点は795℃である。また、酸化テクネチウム９９ｍ(Tc-99m2・O7)または酸化テクネチウム９９(Tc-992・O7)の沸点は、310.6℃である。従って、酸素ガスまたは酸素ガスと不活性ガスの混合ガス３１の温度を酸化テクネチウム９９ｍ(Tc-99m2・O7)または酸化テクネチウム９９(Tc-992・O7)の沸点である310.6℃以上、酸化モリブデン１００(Mo-100・O3)または三酸化モリブデン９９(Mo-99・O3)融点である795℃以下の温度に調整する。三酸化モリブデン１００(Mo-100・O3)粉末試料３の温度を310.6℃以上795℃以下の温度に調整することで、気体状の酸化テクネチウム９９ｍ(Tc-99m2・O7)または酸化テクネチウム９９(Tc-992・O7)が三酸化モリブデン１００(Mo-100・O3)または三酸化モリブデン９９(Mo-99・O3)と分離精製されて、酸素ガス、または、酸素ガスと不活性ガスの混合ガス、または、気体状の酸化テクネチウム９９ｍと気体状酸化テクネチウム９９となって、放射性核種分離精製装置５へと送られる。
【００２４】
電子線２を三酸化モリブデン１００(Mo-100・O3)粉末試料３に照射している照射期間中に、振動装置２０で三酸化モリブデン１００(Mo-100・O3)粉末試料３に振動を加える。振動を加えることで、試料中に生成した酸化テクネチウム９９ｍ(Tc-99m2・O7)の試料からの遊離を早め、また、三酸化モリブデン１００(Mo-100・O3)試料中に残る酸化テクネチウム９９ｍ(Tc-99m2・O7)を少なく抑えることができる。
【００２５】
本実施例によれば、核診断用薬剤の原料として需要の大きいモリブデン９９(Mo-99)やテクネチウム９９ｍ(Tc-99m)のような半減期の短い放射性核種を、小型軽量な装置で効率良く製造することできる。
【実施例２】
【００２６】
本発明に好適な一実施例である実施例２の放射性核種製造装置の構成を図３に基づいて説明する。本実施例の放射性核種製造装置の基本的な構成は、実施例１の放射性核種製造装置と同様であるが、加熱または冷却した酸素ガスまたは酸素ガスと不活性ガスの混合ガス３１を流す配管及び分離精製装置に接続する配管と、三酸化モリブデン１００(Mo-100・O3)粉末試料を設置する容器部分４とを接続している配管と試料用容器の接合部４０を蛇腹状配管で接続した構成が、実施例１の放射性核種製造装置と異なる。以下、実施例１と異なる構成を中心に説明する。
【００２７】
振動装置制御部２１で制御された振動装置２０で、三酸化モリブデン１００(Mo-100・O3)粉末試料を設置する容器部分４を振動させる。蛇腹状配管で接続されている部分により振動を吸収できるため、酸素ガスまたは酸素ガスと不活性ガスの混合ガス２１を流す配管及び放射性核種分離精製装置５に接続する配管に必要以上の応力が加わることがなく、加振時も装置の健全性を保つことができる。振動装置２０としては、耐熱性超音波振動子を使用した超音波振動装置を使用しても良い。
【００２８】
本実施例によれば、核診断用薬剤の原料として需要の大きいモリブデン９９(Mo-99)やテクネチウム９９ｍ(Tc-99m)のような半減期の短い放射性核種を、小型軽量な装置で効率良く製造することできる。
【実施例３】
【００２９】
本発明に好適な一実施例である実施例３の放射性核種製造装置の構成を図４に基づいて説明する。本実施例の放射性核種製造装置の基本的な構成は、実施例２の放射性核種製造装置と同様であるが、温度調整された酸素ガスまたは酸素ガスと不活性ガスの混合ガス３１を流す配管において、加熱・冷却部１３内に、コイル状に巻いた加熱・冷却用配管６０を設置した構成が、実施例２の放射性核種製造装置と異なる。本実施例の放射性核種製造装置のように加熱・冷却部１３内に、コイル状に巻いた加熱・冷却用配管６０を設置することによって、加熱・冷却部内に酸素ガスまたは酸素ガスと不活性ガスの混合ガス３０が流れている時間を長くすることができる。
【００３０】
また、本実施例の放射性核種製造装置では、三酸化モリブデン１００(Mo-100・O3)粉末試料３を設置する試料用容器４と分離精製装置に接続する配管部分の間、及び、三酸化モリブデン１００(Mo-100・O3)粉末試料３を設置する容器部分と酸素ガスまたは酸素ガスと不活性ガスの混合ガスを流す配管に接続する配管部分の間に、粉末試料の系より小さく、かつ、酸素ガス、不活性ガスまたは気体状の酸化テクネチウム９９ｍ(Tc-99m2・O7)及び気体状の酸化テクネチウム９９(Tc-992・O7)を通す大きさのメッシュ状フィルタ５０を設置する。本実施例のようにメッシュ状フィルタ５０を設置することで、三酸化モリブデン１００(Mo-100・O3)粉末試料３が分離精製装置に導入されることなく、酸素ガス、不活性ガスまたは気体状の酸化テクネチウム９９ｍ(Tc-99m2・O7)及び気体状の酸化テクネチウム９９(Tc-992・O7)のみ分離精製装置に導入することが可能となる。
【００３１】
本実施例によれば、核診断用薬剤の原料として需要の大きいモリブデン９９(Mo-99)やテクネチウム９９ｍ(Tc-99m)のような半減期の短い放射性核種を、小型軽量な装置で効率良く製造することできる。
【実施例４】
【００３２】
本発明の好適な一実施例である実施例４の放射性核種製造装置を図５に基づいて説明する。図５は、本実施例の放射性核種製造装置を構成する放射性核種製造用試料部分の一例を説明する構成図である。本実施例では、試料容器４を、蛇腹状の配管で構成する。
【００３３】
蛇腹状配管内に、三酸化モリブデン１００(Mo-100・O3)粉末試料を設置し、電子線２を照射する。電子線２を照射する照射期間中に、振動装置制御部２１で制御された振動装置２０で、三酸化モリブデン１００(Mo-100・O3)粉末試料を設置する容器部分４を振動させる。照射中の試料の温度は、熱電対等で構成される温度計１０で測定する。温度調整された酸素ガスまたは酸素ガスと不活性ガスの混合ガス導入管６１と容器部分４のうちの固定部分を接続し、接続部分に、粉末試料の粉末の径より小さく、かつ、酸素ガス、不活性ガスまたは気体状の酸化テクネチウム９９ｍ(Tc-99m2・O7)及び気体状の酸化テクネチウム９９(Tc-992・O7)を通す大きさのメッシュ状フィルタ５０を設置する。また、試料用容器４と分離精製装置に接続する配管部分の間にも、同様のフィルタを設置する。
【００３４】
本実施例の放射性核種製造装置によれば、試料構造がさらにコンパクトになるとともに、三酸化モリブデン１００(Mo-100・O3)粉末試料３が分離精製装置に導入されることなく、O2ガス、不活性ガスまたは気体状の酸化テクネチウム９９ｍ(Tc-99m2・O7)及び気体状の酸化テクネチウム９９(Tc-992・O7)のみ分離精製装置に導入することが可能となる。
【００３５】
本実施例によれば、核診断用薬剤の原料として需要の大きいモリブデン９９(Mo-99)やテクネチウム９９ｍ(Tc-99m)のような半減期の短い放射性核種を、小型軽量な装置で効率良く製造することできる。
【実施例５】
【００３６】
本発明の好適な一実施例である実施例５の放射性核種製造装置を図６に基づいて説明する。図６は、本実施例の放射性核種製造装置を構成する放射性核種製造用試料部分の一例を説明する構成図である。本実施例では、温度調整された酸素ガスまたは酸素ガスと不活性ガスの混合ガス導入管６１を、三酸化モリブデン１００(Mo-100・O3)粉末試料を設置する容器部分４の下部に接続する。接続部分に、粉末試料の粉末の径より小さく、かつ、酸素ガス、不活性ガスまたは気体状の酸化テクネチウム９９ｍ(Tc-99m2・O7)及び気体状の酸化テクネチウム９９(Tc-992・O7)を通す大きさのメッシュ状フィルタ５０を設置する。また、本実施例の放射性核種製造装置は、試料容器４と放射性核種分離精製装置５に接続する配管部分の間にも、同様のメッシュ状フィルタを設置する。
【００３７】
酸素ガスまたは酸素ガスと不活性ガスの混合ガスを、三酸化モリブデン１００(Mo-100・O3)粉末試料３を吹き上げるように下から導入することで、酸素ガスまたは酸素ガスと不活性ガスの混合ガスの流れによる撹拌作用により、三酸化モリブデン１００(Mo-100・O3)粉末試料に振動を加えることと同様の効果を得ることができる。本実施例の放射性核種製造装置によれば、特別な振動装置が不要となり、さらに装置の小型化が図れる。
【００３８】
本実施例によれば、核診断用薬剤の原料として需要の大きいモリブデン９９(Mo-99)やテクネチウム９９ｍ(Tc-99m)のような半減期の短い放射性核種を、小型軽量な装置で効率良く製造することできる。
【符号の説明】
【００３９】
１…電子線加速器、
２…電子線、
３…三酸化モリブデン１００(Mo-100・O3)粉末試料、
４…試料用容器、
５…放射性核種分離精製装置、
１０…温度計、
１１…加熱・冷却制御装置、
１２…加熱・冷却装置、
１３…加熱・冷却部、
１４…ガス供給装置
２０…振動装置、
２１…振動装置制御部、
３０…酸素ガスまたは酸素ガスと不活性ガスの混合ガス、
３１…加熱または冷却した酸素ガスまたは酸素ガスと不活性ガスの混合ガス、
３２…酸素ガス、または、酸素ガスと不活性ガスの混合ガス、または、気体状の酸化テクネチウム９９ｍと気体状の酸化テクネチウム９９、
４０…配管と試料用容器の接合部、
５０…粉末試料の径より小さく、かつ、酸素ガス、不活性ガス、気体状の酸化テクネチウム９９ｍ(Tc-99m2・O7) または気体状の酸化テクネチウム９９(Tc-992・O7)を通す大きさのメッシュ状フィルタ、
６０…加熱・冷却用配管、
６１…加熱または冷却したO2ガスまたはO2ガスと不活性ガスの混合ガス導入管
７０…ガス混合容器
７１…マスフローコントローラ
７２…レギュレータ
８１…酸素ガスボンベ
８２…不活性ガスボンベ
【図１】
0006602530.tif 000002
【図２】
0006602530.tif 000003
【図３】
0006602530.tif 000004
【図４】
0006602530.tif 000005
【図５】
0006602530.tif 000006
【図６】
0006602530.tif 000007
【図７】
0006602530.tif 000008